(57)【特許請求の範囲】
【請求項１】
描写板本体を含む対話型高精細ガラス電子ホワイトボードにおいて、前記描写板本体は基板および薄型強化ガラスを含み、前記基板の正面が薄型強化ガラスに貼り合わされ、前記薄型強化ガラスと基板との貼り合せ面上には不透明な中間層が付着され、前記不透明な中間層と前記基板との間にはタッチセンサモジュールが貼り付けられており、前記薄型強化ガラスの描写面が防眩処理されたマット面であり、前記不透明な中間層は、それぞれ薄型強化ガラスおよび基板に貼り合わされた白色またはクリーム色のフレキシブルなフィルムであり、前記白色またはクリーム色のフレキシブルなフィルムの表面は、防眩処理されて凹凸があるマット面であることを特徴とする対話型高精細ガラス電子ホワイトボード。
【請求項２】
描写板本体を含む対話型高精細ガラス電子ホワイトボードにおいて、前記描写板本体は基板および薄型強化ガラスを含み、前記基板の正面が薄型強化ガラスに貼り合わされ、前記薄型強化ガラスと基板との貼り合せ面上には不透明な中間層が付着され、前記薄型強化ガラス表面の周囲には赤外線センサモジュールが取り付けられており、前記薄型強化ガラスの描写面が防眩処理されたマット面であり、前記不透明な中間層は、それぞれ薄型強化ガラスおよび基板に貼り合わされた白色またはクリーム色のフレキシブルなフィルムであり、前記白色またはクリーム色のフレキシブルなフィルムの表面は、防眩処理されて凹凸があるマット面であることを特徴とする対話型高精細ガラス電子ホワイトボード。
【請求項３】
前記薄型強化ガラスの厚さが０．３〜２ｍｍであることを特徴とする請求項１又は２に記載の対話型高精細ガラス電子ホワイトボード。
【請求項４】
前記基板の正面には不透明なコーティングが付着されていることを特徴とする請求項１又は２に記載の対話型高精細ガラス電子ホワイトボード。
【請求項５】
前記タッチセンサモジュールは、静電容量式タッチセンサモジュールまたは電磁感応式タッチセンサモジュールであることを特徴とする請求項１に記載の対話型高精細ガラス電子ホワイトボード。
【請求項６】
前記静電容量式タッチセンサモジュールは、正面と裏面にそれぞれ横方向導電膜回路と縦方向導電膜回路が設けられた透明なプラスチックフィルムを含むことを特徴とする請求項５に記載の対話型高精細ガラス電子ホワイトボード。
【請求項７】
前記不透明なコーティングは、薄型強化ガラスと基板との貼り合せ面上に印刷されている白色インク層であることを特徴とする請求項４に記載の対話型高精細ガラス電子ホワイトボード。
【請求項８】
前記基板の背面にはグリーンボードが貼り付けられていることを特徴とする請求項１又は２に記載の対話型高精細ガラス電子ホワイトボード。
【請求項９】
前記基板は、酸化マグネシウム板、アルミハニカム板、高密度押出板または繊維板であることを特徴とする請求項１又は２に記載の対話型高精細ガラス電子ホワイトボード。
【請求項１０】
前記アルミハニカム板の表面にはアルミニウム板が接着されており、前記薄型強化ガラスおよびグリーンボードはそれぞれ前記アルミニウム板に貼り合わされることを特徴とする請求項８及び９に記載の対話型高精細ガラス電子ホワイトボード。
【請求項１１】
前記描写板本体は、該描写板本体に回転可能に取り付けられたブラケットをさらに含むことを特徴とする請求項１又は２に記載の対話型高精細ガラス電子ホワイトボード。
【発明の詳細な説明】
【技術分野】
【０００１】
本発明は教育機器に関し、特に対話型高精細ガラス電子ホワイトボードに関する。
【背景技術】
【０００２】
従来の水性マーキングペンで描写するホワイトボードの多くはプラスチック材質であり、表面が滑らかで光を反射しやすくかつ機能が単一である。科学技術の発展に伴い、投影機能を持つホワイトボードが市場に登場したが、これは特殊材料から作製され、一般的な映写幕より反射率が２０％向上して、画像がさらに明るくかつ鮮明になり、投影輝度を著しく向上させた。しかし、コストが高いだけでなく、描写板としても使用できないため、幅広く使用することが難しい。前述した材質を対話型電子ホワイトボードの作製に用いる場合、低コストのものはタッチ感が悪く、タッチ感がよいものは高コストである。また、従来のホワイトボードは、従来の材質に制限され、いずれも傷つきやすく、割れやすく、割れた後にはまったく使用することができず、表面の反射がまぶしく、単点タッチを主とし、反応が停滞して遅くなるなどの多くの問題がある。市場では、軽くて薄くかつ低コストで、防眩性でスワイプしやすく、ホワイトボードの表面が非常に硬くて傷に強く、書き込みがスムーズで筆跡を消しやすい新規な電子ホワイトボードが緊急に必要である。
【発明の概要】
【発明が解決しようとする課題】
【０００３】
本発明は、コストが安価で投影機能も兼ね備える対話型高精細ガラス電子ホワイトボードを提供することを目的としている。
【課題を解決するための手段】
【０００４】
本発明の目的を達成するための技術態様は以下の通りである。
描写板本体を含む対話型高精細ガラス電子ホワイトボードにおいて、前記描写板本体は基板および薄型強化ガラスを含み、前記基板の正面が薄型強化ガラスに貼り合わされ、前記薄型強化ガラスと基板との貼り合せ面上には不透明な中間層或いは不透明なコーティングが付着されており、薄型強化ガラスの描写面が防眩処理されたマット面である。
【０００５】
より良好な技術効果のために、本発明の技術態様はさらに以下のような改良が行われてもよい。
【０００６】
前記薄型強化ガラスの厚さが０．３〜２ｍｍであり、筆跡のゴーストがなく、表示効果がより優れる。
【０００７】
前記基板の正面には不透明なコーティングが付着されている。
【０００８】
さらに、前記不透明なコーティングは白色塗料または白色インクの印刷であってもよく、光を反射しない不透明な白色フィルムが貼り付けられたガラスを白色アルミニウム板に貼り合わせた時に、スクリーンの白色効果をより増加させている。
【０００９】
前記薄型強化ガラス表面の周囲には赤外線センサモジュールが取り付けられている。
【００１０】
前記不透明な中間層と基板との間にはタッチセンサモジュールが貼り付けられている。
【００１１】
さらに、前記タッチセンサモジュールは、静電容量式タッチセンサモジュールまたは電磁感応式タッチセンサモジュールである。
【００１２】
前記静電容量式タッチセンサモジュールは、正面と裏面にそれぞれ横方向導電膜回路と縦方向導電膜回路が設けられた透明なプラスチックフィルムを含むことが好ましい。
【００１３】
さらに、前記横方向導電膜回路と縦方向導電膜回路の材質は、銅、アルミニウム、金、銀または導電カーボンスラリーのうちのいずれか一種である。
【００１４】
前記不透明な中間層は、それぞれ薄型強化ガラスおよび基板に貼り合わされた白色またはクリーム色のフィルムであり、クリーム色フィルムまたは白色フィルムを用いてフレキシブルな不透明な中間層とし、それぞれ薄型強化ガラスおよび基板のような硬さが高い材料と貼り合わされる時に気泡が見えなければ脱泡処理することなく、製造工程が簡素化される。
【００１５】
さらに、前記白色またはクリーム色のフィルムの表面は防眩処理されたマット面であり、凹凸があり平坦でない白色フィルムの表面は、映像の反射を解消・減少させることができ、映像を直接白色フィルム上に投影させることで、解像度が向上することがいっそう確認されている。
【００１６】
前記不透明なコーティングは、薄型強化ガラスと基板との貼り合せ面上に印刷されている白色インク層であり、薄型強化ガラスの背面に白色インク層が印刷されているため、貼り合わせる時にその貼り合わせにより生じる気泡を直接遮蔽することができる。
【００１７】
前記基板は、酸化マグネシウム板、アルミハニカム板、高密度押出板または繊維板であり、前記酸化マグネシウム板、アルミハニカム板、高密度押出板および繊維板はいずれも変形しにくく、平坦性が高く、描写板の使用寿命を向上させた。
【００１８】
前記基板の背面にはチョーク描写用のグリーンボードが貼り付けられている。
【００１９】
前記アルミハニカム板の表面にはアルミニウム板が接着されており、前記薄型強化ガラスおよびグリーンボードはそれぞれアルミニウム板に貼り合わされる。
【００２０】
さらに、前記アルミハニカム板の薄型強化ガラスに貼り合わされる一面のみにアルミニウム板が接着されており、グリーンボードは前記アルミハニカム板に直接貼り付けることができるので、材料を節約することができる。
【００２１】
さらに、前記描写板本体は、該描写板本体に回転可能に取り付けられているブラケットを含む。
【発明の効果】
【００２２】
本発明は、描写板の主体材料として表面が防眩処理された薄型強化ガラスを採用し、その表面の硬さは９Ｈに達し、一般的なホワイトボード膜の硬さの３倍であり、傷つきにくいだけでなく、一定の靱性があり、９０度まで曲げることができ、さらに、厚さが薄いのでフォントをよりはっきりと表示することができ、防眩処理されたマット面はプロジェクターのスクリーンとすることもでき、薄型強化ガラスの背面にタッチセンサモジュールを貼り付ける時にタッチ機能も実現することができて、対話性に優れる。薄型強化ガラスと基板との貼り合せ面（すなわち薄型強化ガラスの背面）に付着した不透明な中間層が白色またはクリーム色のフィルムである場合、フレキシブルなフィルムと薄型強化ガラスには気泡が生じないとともに、それと基板が貼り合わされる時に生じる気泡を遮蔽することもできる。不透明なコーティングが白色インク層である場合、別途に脱泡処理を行うことなく、貼り合わせにより生じる気泡を直接遮蔽し、さらに製造工程が簡素化され、生産効率を大幅に向上させた。
【図面の簡単な説明】
【００２３】
【図１】本発明の実施例１に係る静電容量式タッチセンサモジュール付き対話型高精細ガラス電子ホワイトボードの構造模式図である。
【図２】実施例１における静電容量式タッチセンサモジュールのフィルムの構造模式図である。
【図３】本発明の実施例２に係る赤外線センサモジュール付き対話型高精細ガラス電子ホワイトボードの構造模式図である。
【発明を実施するための形態】
【００２４】
以下、図面を参照しながら本発明の好ましい実施例についてさらに説明する。
【００２５】
［実施例１］
図１および図２に示すように、描写板本体１を含む対話型高精細ガラス電子ホワイトボードにおいて、前記描写板本体１は、基板１１、薄型強化ガラス１２および静電容量式タッチセンサモジュール１３を含み、前記静電容量式タッチセンサモジュール１３は薄型強化ガラス１２の背面に貼り付けられ、前記薄型強化ガラス１２と静電容量式タッチセンサモジュール１３の貼り合せ面１２１上には白色インク１２３が印刷されており、薄型強化ガラス１２の描写面１２２が防眩処理されたマット面であり、前記基板１１の正面は静電容量式タッチセンサモジュール１３に貼り合わされており、前記基板１１の背面にはチョーク描写用のグリーンボード１４が貼り付けられている。
【００２６】
さらに、前記静電容量式タッチセンサモジュール１３は、正面と裏面にそれぞれ横方向導電膜回路１３２と縦方向導電膜回路１３３が設けられた透明なプラスチックフィルム１３１を含む。
【００２７】
さらに、前記基板１１はアルミハニカム板であり、前記アルミハニカム板の静電容量式タッチセンサモジュール１３に貼り合わされる一面のみにアルミニウム板１１１が接着されており、前記グリーンボード１４は前記アルミハニカム板に直接貼り付けられる。
【００２８】
［実施例２］
図３に示すように、描写板本体１０を含む対話型高精細ガラス電子ホワイトボードにおいて、前記描写板本体１０は、基板１０１および薄型強化ガラス１０２を含み、前記薄型強化ガラス１０２の表面の周囲には赤外線センサモジュール１０３が取り付けられており、前記薄型強化ガラス１０２と基板１０１との間には白色フィルム１０４が貼り付けられており、薄型強化ガラスの描写面１０２１および白色フィルムの表面はいずれも防眩処理されたマット面である。
【００２９】
本発明における薄型強化ガラスと基板との間のフィルムはクリーム色であってもよい。クリーム色フィルムまたは白色フィルムを用いてフレキシブルな不透明な中間層とし、薄型強化ガラスと貼り合わせる時に気泡が生じなく、その後薄型強化ガラスを基板に貼り合わせる時に、不透明なフィルムで覆われているので、表面からハードスクリーンの貼り合わせにより生じる気泡が見えないことから、これに対する脱泡処理を行わなくてもよい。薄型強化ガラスと基板との貼り合せ面上に印刷された白色インク層の作用は、脱泡処理を行うことなく、貼り合わせる時に貼り合わせにより生じる気泡を直接遮蔽できることである。不透明な中間層の背面に静電容量式タッチセンサフィルムを貼り合わせる時に、不透明な中間層は同様にフィルム上の回路を遮蔽しており、導電膜回路の直径を適当に広げることができるとともに、別途に黒化ステルス処理を行わなくてもよい。不透明な中間層の設計は、製造工程を簡素化するだけでなく、生産効率を向上させた。
【００３０】
本発明における前記薄型強化ガラスの厚さは０．３〜２ｍｍであることが好ましく、筆跡のゴーストがなく、表示効果がより優れる。描写板の外観がよく、安定性がより高まるように、描写板の外周は枠で被覆されてもよい。前記基板の材料はアルミハニカム板に限定されるものではなく、酸化マグネシウム板または高密度押出板等の変形しにくく平坦性の高い板材であってもよい。静電容量式タッチセンサモジュールの構造も実施例に記載されたものに限定されるものではなく、従来のＩＴＯ導電層またはＧＧタッチパネルであってもよく、前記横方向導電膜回路と縦方向導電膜回路の材質は、銅、アルミニウム、金、銀または導電カーボンスラリーのうちのいずれか一種である。本発明において、赤外線センサモジュールを用いてタッチ機能を実現する場合、生産コストを大幅に低減することができる。本発明における対話型高精細ガラス電子ホワイトボードは、重量が軽く、フレーム上に直接置かれて手動で反転させてもよく、ブラケット上に回転可能に取り付けられてもよい。
【図１】
0006782121.tif 000002
【図２】
0006782121.tif 000003
【図３】
0006782121.tif 000004